(57)【要約】【課題】  本発明は、ユーザが編集すべきタイトルを容易に選択することができる記録再生装置を提供することを目的とする。【解決手段】  本発明の記録再生装置は、映像信号を含むタイトルを複数記録でき、複数のタイトルのうち、1つのタイトルを再生中に、該タイトルを編集対象としてユーザに指定させるための指定手段と、タイトルを編集対象とする条件を設定する条件設定手段による条件に合致する複数のタイトルを、該条件で一括処理するように構成したことを特徴とする。【選択図】      図２
2008152892.tif 000002
【特許請求の範囲】
【請求項１】
映像信号を含むタイトルを複数記録できる記録媒体を有する記録再生装置であって、
複数の前記タイトルのうち、1つのタイトルを再生中に、該タイトルを編集対象としてユーザに指定させるための指定手段と、
前記タイトルを前記編集対象とする条件を設定する条件設定手段と、
前記記録再生装置を制御する制御手段と
を備え、
前記制御手段を、前記指定手段及び前記条件設定手段の前記条件に合致する前記複数のタイトルを、前記条件で一括処理するように構成したことを特徴とする記録再生装置。
【請求項２】
前記複数のタイトルのサムネイル再生時に、前記複数のタイトルを前記編集対象として指定することを特徴とする請求項１記載の記録再生装置。
【請求項３】
前記条件として、一括削除を設定するとともに、前記制御手段で、指定された前記複数のタイトルを前記記録媒体から一括削除することを特徴とする請求項１記載の記録再生装置。
【請求項４】
前記一括削除を、前記記録再生装置の電源終了時に処理することを特徴とする請求項３記載の記録再生装置。
【請求項５】
前記一括削除を、前記記録再生装置が新たなタイトルを予約録画開始する前に実行することを特徴とする請求項３記載の記録再生装置。
【請求項６】
前記タイトルに属性として上書き許可を設定するとともに、
前記条件として、一括削除が設定された場合に、前記上書き許可の属性を有するタイトルも前記一括削除の対象とすることを特徴とする請求項３記載の記録再生装置。
【発明の詳細な説明】
【技術分野】
【０００１】
本発明は、映像信号を記録，再生可能な記録再生装置に関する。
【背景技術】
【０００２】
HDD，HD DVDディスク，DVDディスク等の記録媒体に対して映像信号を記録，再生する記録再生装置において、記録した映像信号の一部をカットする等の編集を行うことが知られている。この編集の作業には、記録媒体から映像信号のひと塊であるタイトル(例えば、録画したTV番組のドラマ，バラエティ等)が複数記録されており、この中の1つのタイトルを再生し、各タイトルの内容を把握しながら必要なタイトルの選択を行なう手法と、個々のタイトルの管理情報を参照しながら必要なタイトルの選択を行なう手法とがある。要するに、編集を行なう場合には、記録媒体に記録されているタイトルを再生する作業、または、タイトルの管理情報を参照する作業が必要となっている。
【０００３】
しかしながら、このような編集の作業では、記録媒体に記録されたタイトルの数が多くなると、必要なタイトルを選択する作業が煩雑になり、ユーザの負担が増えるという事態になる。そして、タイトルの選択作業が煩雑になると、ユーザが編集対象として選択すべきタイトルを見落として、ユーザが必要と考える編集対象のタイトルが不明になるという問題点がある。
【０００４】
なお、タイトル内の特定の箇所(偶数チャプタ，奇数チャプタ)を一括削除処理する装置は知られている(特許文献１)。
【特許文献１】特開2005-341268号公報
【発明の開示】
【発明が解決しようとする課題】
【０００５】
しかし、従来の装置は、タイトルの再生時とは別に、編集時に、1タイトルを選択し、この1タイトル内のチャプタを指定して一括削除するのみのため、複数のタイトルに対して編集するには、編集すべきタイトルをユーザが覚えておかなければならず、編集対象のタイトルの選択が煩雑であるという問題点があった。
【０００６】
本発明は、ユーザが編集すべきタイトルを容易に選択することができる記録再生装置を提供することを目的とする。
【課題を解決するための手段】
【０００７】
上記目的を達成するために、本発明の記録再生装置は、映像信号を含むタイトルを複数記録できる記録媒体を有する記録再生装置であって、
複数の前記タイトルのうち、1つのタイトルを再生中に、該タイトルを編集対象としてユーザに指定させるための指定手段と、
前記タイトルを前記編集対象とする条件を設定する条件設定手段と、
前記記録再生装置を制御する制御手段と
を備え、
前記制御手段を、前記指定手段及び前記条件設定手段の前記条件に合致する前記複数のタイトルを、前記条件で一括処理するように構成したことを特徴とする。
そして、タイトルの再生中に編集対象を登録することにより、編集時に改めてどのタイトルを対象とするかをユーザが記憶しておく必要がなく、また再生終了後に改めて編集メニューに移行する工数も無くなるため、一括編集操作が容易となる。
【０００８】
また、前記複数のタイトルのサムネイル再生時に、前記複数のタイトルを前記編集対象として指定することを特徴とする。
そして、タイトルを再生することなく、サムネイルで編集対象を指定できるので、指定の時間を短縮することができる。
また、前記条件として、一括削除を設定するとともに、前記制御手段で、指定された前記複数のタイトルを前記記録媒体から一括削除することを特徴とする。
また、前記一括削除を、前記記録再生装置の電源終了時に処理することを特徴とする。
また、前記一括削除を、前記記録再生装置が新たなタイトルを予約録画開始する前に実行することを特徴とする。
そして、一括削除のタイミングを予約録画の開始前とすることで、録画開始時に空き容量を確保することができる。特に、電源終了指示と、予約録画の開始時間との間に所定時間以上の間隔がある場合には、上記に加え、ユーザは、削除対象タイトルと指定していたタイトルを削除対象としないように設定し直す時間を確保することができる。
【０００９】
また、前記タイトルに属性として上書き許可を設定するとともに、
前記条件として、一括削除が設定された場合に、前記上書き許可の属性を有するタイトルも前記一括削除の対象とすることを特徴とする。
【発明の効果】
【００１０】
本発明によれば、ユーザが編集すべきタイトルを容易に選択することができる。
【発明を実施するための最良の形態】
【００１１】
以下、図面を参照して本発明の実施の形態を説明する。
図１は、この実施の形態で説明する記録再生装置を示している。この記録再生装置は、記録媒体として光ディスク（DVD-R/RW/RAM，HD DVD記録可能ディスク）とハードディスクとの両方を取り扱うことができるものとしているが、記録媒体としては、例えば半導体メモリ等を用いることも可能である。
【００１２】
すなわち、図１に示す記録再生装置は、大きく分けると、図中左側に記録側の主なブロックが存在し、図中右側に再生側の主なブロックが存在し、図中下部に制御側の主なブロックが存在している。
【００１３】
そして、この記録再生装置は、２種類のディスクドライブ部を有する。まず、ビデオファイルを構築できる情報記録媒体である第1のメディアとしての光ディスク１１を回転駆動し、情報の読み書きを実行するディスクドライブ部１２を有する。また、この記録再生装置は、第２のメディアとしてのハードディスク１３ａを駆動するハードディスクドライブ部１３を有する。
【００１４】
データプロセッサ部１４は、ディスクドライブ部１２及びハードディスクドライブ部１３に記録データを供給することができ、また、再生された信号を受け取ることができる。ディスクドライブ部１２は、光ディスク１１に対する回転制御系、レーザ駆動系、光学系等を有する。データプロセッサ部１４は、記録または再生単位のデータを取り扱うもので、バッファ回路、変調・復調回路、エラー訂正部等を含んでいる。
【００１５】
また、この記録再生装置は、記録側を構成するエンコーダ部１５と、再生側を構成するデコーダ部１６と、装置本体の動作を制御するマイクロコンピュータブロック１７とを、主たる構成要素としている。
【００１６】
エンコーダ部１５は、入力されたアナログビデオ信号及びアナログオーディオ信号をデジタル化するビデオ用及びオーディオ用のアナログデジタルコンバータと、ビデオエンコーダと、オーディオエンコーダとを有する。さらに、副映像エンコーダも含んでいる。
【００１７】
エンコーダ部１５の出力は、バッファメモリ１８を含むフォーマッタ１９にて所定のＤＶＤのフォーマットに変換され、先のデータプロセッサ部１４に供給される。
エンコーダ部１５には、Ａ／Ｖ（Audio Video）入力部２０から得られる外部アナログビデオ信号と外部アナログオーディオ信号、または、ＴＶ（Television）チューナ部２１から得られるアナログビデオ信号とアナログオーディオ信号が入力される。
【００１８】
なお、エンコーダ部１５は、圧縮されたデジタルビデオ信号及びデジタルオーディオ信号が直接入力されるときは、この圧縮されたデジタルビデオ信号及びデジタルオーディオ信号を、直接フォーマッタ１９に供給することも可能である。
【００１９】
また、エンコーダ部１５は、アナログデジタル変換されたデジタルビデオ信号及びオーディオ信号を、Ｖ（Video）ミクシング部２２及びオーディオセレクタ２３に直接供給することもできる。
【００２０】
エンコーダ部１５に含まれるビデオエンコーダでは、デジタルビデオ信号が、ＭＰＥＧ（Moving Picture Experts Group）２またはＭＰＥＧ１規格に基づいた可変ビットレートで圧縮されたデジタルビデオ信号に変換される。デジタルオーディオ信号は、ＭＰＥＧまたはＡＣ（Audio Compression）−３規格に基づいて、固定ビットレートで圧縮されたデジタルオーディオ信号、または、リニアＰＣＭ（Pulse Code Modulation）のデジタルオーディオ信号に変換される。
【００２１】
副映像信号がＡ／Ｖ入力部２０から入力された場合（例えば副映像信号の独立出力端子付ＤＶＤビデオプレーヤからの信号等）、または、このようなデータ構成のＤＶＤビデオ信号が放送されそれがＴＶチューナ部２１で受信された場合は、ＤＶＤビデオ信号中の副映像信号が副映像エンコーダでエンコード（ランレングス符号化）されて副映像のビットマップとなる。
【００２２】
エンコードされたデジタルビデオ信号、デジタルオーディオ信号、副映像データは、フォーマッタ１９にてパック化され、ビデオパック、オーディオパック、副映像パックとなり、さらに、これらが集合されてＤＶＤ−レコーディング規格［例えばＤＶＤ−ＲＡＭ、ＤＶＤ−Ｒ（Recordable）、ＤＶＤ−ＲＷ（Rewritable）等に記録する規格］で規定されたフォーマットに変換される。
【００２３】
ここで、図１の記録再生装置は、フォーマッタ１９でフォーマット化された情報（ビデオ、オーディオ、副映像データ等のパック）及び作成された管理情報を、データプロセッサ部１４を介してハードディスクドライブ部１３またはディスクドライブ部１２に供給し、ハードディスク１３ａまたは光ディスク１１に記録することができる。
【００２４】
また、ハードディスク１３ａまたは光ディスク１１に記録された情報を、データプロセッサ部１４及びディスクドライブ部１２を介して、光ディスク１１またはハードディスク１３ａに記録することもできる。
【００２５】
また、ハードディスク１３ａまたは光ディスク１１に記録されている複数番組のビデオオブジェクトを、一部削除したり、異なる番組のオブジェクトを繋げたり、といった編集処理を行なうこともできる。これは、この実施の形態で説明するフォーマットが、取り扱うデータ単位を定義し、編集を容易にしているからである。
【００２６】
マイクロコンピュータブロック１７は、ＭＰＵ（Micro Processing Unit）またはＣＰＵ（Central Processing Unit）と、制御プログラム等が書き込まれたＲＯＭ（Read Only Memory）と、プログラム実行に必要なワークエリアを提供するためのＲＡＭとを含んでいる。
【００２７】
マイクロコンピュータブロック１７のＭＰＵは、そのＲＯＭに格納された制御プログラムにしたがい、ＲＡＭをワークエリアとして用いて、欠陥場所検出、未記録領域検出、記録情報記録位置設定、ＵＤＦ（Universal Disk Format）記録、ＡＶアドレス設定等を実行する。
【００２８】
また、マイクロコンピュータブロック１７は、システム全体を制御するために必要な情報処理部を有するもので、ワークＲＡＭ、ディレクトリ検知部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部等を備える。
【００２９】
ＭＰＵの実行結果のうち、ユーザに通知すべき内容は、記録再生装置の表示部２４に表示されるか、または、モニタディスプレイ２５にＯＳＤ（On Screen Display）表示される。また、マイクロコンピュータブロック１７は、この装置を操作するための操作信号を与えるキー入力部２６を有する。
【００３０】
なお、マイクロコンピュータブロック１７が、ディスクドライブ部１２、ハードディスクドライブ部１３、データプロセッサ部１４、エンコーダ部１５及びデコーダ部１６等を制御するタイミングは、ＳＴＣ（System Time Clock）２７からの時間データに基づいて規定することができる。記録や再生の動作は、通常、ＳＴＣ２７からのタイムクロックに同期して実行されるが、それ以外の処理はＳＴＣ２７からのタイムクロックとは独立したタイミングで実行されてもよい。
【００３１】
デコーダ部１６は、パック構造を持つＤＶＤフォーマットの信号から各パックを分離して取り出すセパレータと、パック分離及びその他の信号処理実行時に使用するメモリと、セパレータで分離された主映像データ（ビデオパックの内容）をデコードするVデコーダと、セパレータで分離された副映像データ（副映像パックの内容）をデコードするＳＰ（Sub Picture）デコーダと、セパレータで分離されたオーディオデータ（オーディオパックの内容）をデコードするＡ（Audio）デコーダとを有する。また、デコードされた主映像にデコードされた副映像を適宜合成し、主映像に、メニュー、ハイライトボタン、字幕及びその他の副映像を重ねて出力するビデオプロセッサを備えている。
【００３２】
デコーダ部１６の出力ビデオ信号は、Ｖミクシング部２２に入力される。Ｖミクシング部２２では、テキストデータの合成が行なわれる。また、Ｖミクシング部２２には、ＴＶチューナ部２１またはＡ／Ｖ入力部２０からの信号を直接取り込むラインも接続されている。
【００３３】
Ｖミクシング部２２には、バッファとして用いるフレームメモリ部２８が接続されている。Ｖミクシング部２２の出力がアナログ出力の場合は、Ｉ／Ｆ（Interface）２９を介して外部に出力され、デジタル出力の場合は、デジタルアナログ変換器３０を介して外部のモニタディスプレイ２５に出力される。
【００３４】
デコーダ部１６の出力オーディオ信号は、セレクタ２３を介してデジタルアナログ変換器３１でアナログ変換され外部のスピーカ３２に出力される。セレクタ２３は、マイクロコンピュータブロック１７からのセレクト信号により制御される。これによりセレクタ２３は、ＴＶチューナ部２１またはＡ／Ｖ入力部２０からのデジタル信号を直接モニタする時、エンコーダ部１５をスルーした信号を直接選択することも可能である。
【００３５】
なお、エンコーダ部１５のフォーマッタ１９では、記録中、各切り分け情報を作成し、定期的にマイクロコンピュータブロック１７のＭＰＵに送る［ＧＯＰ（Group Of Picture）先頭割り込み時等の情報］。切り分け情報としては、ＶＯＢＵ（Video Object Unit）のパック数、ＶＯＢＵ先頭からのI（Intra）ピクチャのエンドアドレス、ＶＯＢＵの再生時間等がある。
【００３６】
同時に、アスペクト情報処理部からの情報を記録開始時にＭＰＵに送り、ＭＰＵはＶＯＢ（Video Object）ストリーム情報ＳＴＩを作成する。ここで、ＳＴＩは、解像度データ、アスペクトデータ等を保存し、再生時、各デコーダ部ではこの情報を元に初期設定が行なわれる。
【００３７】
また、この記録再生装置では、ビデオファイルは１ディスクに１ファイルとしている。また、データをアクセス（シーク）している間に、途切れないで再生を続けるために、最低限連続する情報単位（サイズ）を決めている。この単位をＣＤＡ（Contiguous Data Area）と称する。ＣＤＡサイズは、ＥＣＣ（エラー訂正コード）ブロック（１６セクタ）の倍数であり、ファイルシステムではこのＣＤＡ単位で記録を行なっている。
【００３８】
データプロセッサ部１４は、エンコーダ部１５のフォーマッタ１９からＶＯＢＵ単位のデータを受け取り、ＣＤＡ単位のデータをディスクドライブ部１２またはハードディスクドライブ部１３に供給している。また、マイクロコンピュータブロック１７のＭＰＵは、記録したデータを再生するために必要な管理情報を作成し、データ記録終了のコマンドを認識すると、作成した管理情報をデータプロセッサ部１４に送る。これにより、管理情報が光ディスク１１に記録される。
【００３９】
したがって、エンコードが行なわれているとき、マイクロコンピュータブロック１７のＭＰＵは、エンコーダ部１５からデータ単位の情報（切り分け情報等）を受け取る。また、マイクロコンピュータブロック１７のＭＰＵは、記録開始時には光ディスク１１及びハードディスク１３ａから読み取った管理情報（ファイルシステム）を認識し、各ディスクの未記録エリアを認識し、データ上の記録エリアをデータプロセッサ部１４を介してディスクに設定している。
【００４０】
ここで、図２は、電源終了時或いは予約録画開始時の一括処理のための動作をまとめたフローチャートを示している。処理が開始されると、マイクロコンピュータブロック１７は、ステップＳ２２で、電源終了時或いは予約録画開始時に一括処理する条件指定をユーザから受ける。なお、条件指定としては、編集対象とするものとして、例えば、タイトルの一部が再生された場合，タイトルが最後まで再生されば場合、ユーザがキー入力部26から編集対象と指示した場合がある。
【００４１】
ステップＳ２３で、光ディスク１１またはハードディスク１３ａに記録されている複数のタイトルの中からタイトルが再生されているか否かを判断し、再生中であれば（ＹＥＳ）、ステップＳ２４で、マイクロコンピュータブロック１７は、再生しているタイトルが上記の条件指定の対象とするタイトルかどうかの指定をユーザから受ける。編集対象であれば、ステップＳ２５へ、そうでなければステップＳ２６へ遷移する。ステップＳ２５は、再生中のタイトルを編集対象としてタイトル番号を保存する。ステップＳ２６では、再生が終了したかの判定を行う。終了した場合（ＹＥＳ）、ステップＳ２７へ遷移し、再生中であれば（ＮＯ）、ステップＳ２６を繰り返す。ステップＳ２７は、電源終了或いは予約録画開始かどうかの判定を行う。電源終了或いは予約録画開始されれば（ＹＥＳ）、ステップＳ２８の一括処理へ移り、電源終了或いは予約録画開始されなければ（ＮＯ）、他のタイトルが再生されるかの判定のため、ステップＳ２３に遷移する。ステップＳ２８は、タイトルの属性として上書き許可されたタイトルを編集対象としてタイトル番号を保存する。なお、タイトルの属性として上書き許可されたタイトルとしては、ユーザが指定するタイトルとして、例えば、ユーザが指定したジャンル(例えば、ドラマ)や、毎週同じ記録開始時間のタイトル(例えば、毎週月曜21:00記録開始)や、これらのアンド(例えば、ドラマで、かつ毎週日曜23:00記録開始)で指定することができる。
【００４２】
ステップＳ２９で、ステップＳ２５およびステップＳ２８にて保存されたタイトル群をステップＳ２２にて設定された一括処理を実行した後、電源終了或いは予約録画開始処理を行い、処理を終了する。
【００４３】
図３は、一括編集する内容を設定するための動作をまとめたフローチャートを示している。まず、動作開始されると、マイクロコンピュータブロック１７は、ステップＳ３２で、一括編集するかどうかをユーザから受け、一括編集する場合（ＹＥＳ）、ステップＳ３３〜Ｓ３５で編集処理内容の設定を行う。マイクロコンピュータブロック１７は、ステップＳ３６〜Ｓ３８で、ユーザが要求する処理を一括編集時に行うための設定を行う。その後、処理を終了する。ステップＳ３２で、一括編集しない場合（ＮＯ）は、何もしないで処理を終了する。
【００４４】
図４は、タイトル属性として、上書き許可設定されたタイトルを編集対象に登録するための動作をまとめたフローチャートを示している。まず、動作開始されると、マイクロコンピュータブロック１７は、ステップＳ４２で、タイトル属性として上書き許可設定されているタイトルがあるかどうかを検索する。次にステップＳ４３で、該当するタイトルが存在する場合（ＹＥＳ）、ステップＳ４４で、編集対象タイトルとして登録する。ステップＳ４２に戻り、前記上書き許可検索処理を繰り返す。ステップＳ４３で該当するタイトルが存在しない場合（ＮＯ）は、処理を終了する。
【００４５】
このように、編集対象として登録された複数のタイトルを、電源終了時および予約録画開始前に一括処理することにより、ユーザにとって編集作業をより実用的なものとすることが可能となる。
【００４６】
上記実施の形態による効果をまとめると下記となる。
再生中或いはサムネイル再生中に編集対象タイトルを登録することにより、編集時に改めてどのタイトルを対象とするか再度記憶しておく必要がなく、また再生終了後に改めて編集メニューに移行する工数も無くなるため、一括編集操作が容易となる。
【００４７】
一括削除のタイミングを電源終了指示の直後ではなく、予約録画の開始前とすることで、録画開始時に空き容量を確保することができる。特に、電源終了指示と、予約録画の開始時間との間に所定時間以上の間隔がある場合には、上記に加え、ユーザは、削除対象タイトルと指定していたタイトルを削除対象としないように設定し直す時間を確保することができる。
【００４８】
再生中でないタイトルでサムネイルも一括削除対象とすることができる。再生しないタイトルやサムネイル再生で見落としたタイトルを削除対象とすることができる。
【図面の簡単な説明】
【００４９】
【図１】本発明の一実施の形態による記録再生装置の概略構成図。
【図２】同実施の形態にかかわる一括処理動作のフローチャート。
【図３】同実施の形態にかかわる一括編集する内容を設定する動作フローチャート。
【図４】同実施の形態にかかわる上書き許可設定されたタイトルを編集対象に登録する動作フローチャート。
【符号の説明】
【００５０】
11  光ディスク
13a  ハードディスク(HDD)
17  マイクロコンピュータブロック
26  キー入力部
【図１】
2008152892.tif 000003
【図２】
2008152892.tif 000004
【図３】
2008152892.tif 000005
【図４】
2008152892.tif 000006